(57)【特許請求の範囲】
【請求項１】
間仕切パネルの上部又は机天板に取付ける衝立フィン装置であって、フィンの下部中央部に前記間仕切パネルの上部及び机天板への直接的又は間接的に取付ける取付手段を備えるとともに、少なくともフィンの上部が円弧状に傾斜した形状を有し、前記取付手段は、間仕切パネルの上部又は机天板に取付ける取付部を備え、該取付部とフィンへの固定部との間に、少なくとも取付部に対して固定部の傾斜角度を変更し、その状態を維持できるジョイントを介在させたものであり、前記間仕切パネル及び机天板に対してフィン全体の傾斜角度を調節できる構造であることを特徴とする衝立フィン装置。
【請求項２】
前記ジョイントは、前記間仕切パネル及び机天板に対してフィン全体の回転角度を調節できるユニバーサルジョイント構造である請求項１記載の衝立フィン装置。
【請求項３】
前記フィンの幕面が透明又は半透明の材料で形成してなる請求項１又は２記載の衝立フィン装置。
【発明の詳細な説明】
【０００１】
【発明の属する技術分野】
本発明は、衝立フィン装置。に係わり、更に詳しくは間仕切パネルの上部又は机天板に取付ける衝立フィン装置に関するものである。
【０００２】
【従来の技術】
従来、間仕切パネルの上部には、延長パネルを間仕切パネルの面内方向に沿ってオプションとして取付けるものが提供されている。通常、前記延長パネルは、それが取付けられる間仕切パネルと同様な構造で、不透明な材料のものが用いられている。また、オープンオフィスにおいて、高さの低い間仕切パネルの上部に、ガラス板やアクリル板のように透明又は半透明な材料からなる板材を立起状態で取付けて、オープンオフィスの特徴である開放感を損なわない程度の目隠し機能を持たせることもある。
【０００３】
また、机においては、天板の後縁又は側縁に、フロントパネルやサイドパネルを装着した目隠し機能を持たせることも公知である。これらフロントパネルやサイドパネルには、目隠し機能を持たせるために、通常は不透明な材料で構成されている。複数の机を前後左右に並べて設置する場合に、前後の机の天板間に仕切パネルを設けることも公知であり、この仕切パネルも基本的には前述のフロントパネルと同様の機能である。
【０００４】
このように、間仕切パネルの上部に取付ける延長パネルや机天板に取付ける机上パネルは、板状のものであり、それを取付ける間仕切パネル又は天板に対して固定的に垂直に取付けられている。
【０００５】
【発明が解決しようとする課題】
本発明が前述の状況に鑑み、解決しようとするところは、間仕切パネルの上部又は机天板に取付ける衝立フィン装置であって、オープンオフィス内の目線を調整し且つ視覚的な変化を与えるとともに、空気の流れを調整してパーソナルな空調を可能とする衝立フィン装置を提供する点にある。
【０００６】
【課題を解決するための手段】
本発明は、前述の課題解決のために、間仕切パネルの上部又は机天板に取付ける衝立フィン装置であって、フィンの下部中央部に前記間仕切パネルの上部及び机天板への直接的又は間接的に取付ける取付手段を備えるとともに、少なくともフィンの上部が円弧状に傾斜した形状を有し、前記取付手段は、間仕切パネルの上部又は机天板に取付ける取付部を備え、該取付部とフィンへの固定部との間に、少なくとも取付部に対して固定部の傾斜角度を変更し、その状態を維持できるジョイントを介在させたものであり、前記間仕切パネル及び机天板に対してフィン全体の傾斜角度を調節できる構造である衝立フィン装置を構成した。
【０００７】
ここで、前記ジョイントは、前記間仕切パネル及び机天板に対してフィン全体の回転角度を調節できるユニバーサルジョイント構造であることが好ましい。
【０００８】
また、前記フィンの幕面が透明又は半透明の材料で形成してなることも好ましいのである。
【０００９】
【発明の実施の形態】
次に本発明の実施の形態を添付図面に基づき更に詳細に説明する。図１〜図３は本発明に係る衝立フィン装置を間仕切パネルに適用した第１実施形態を示し、図４〜図６は本発明に係る衝立フィン装置を机に適用した第２実施形態を示し、図中符号Ａは衝立フィン装置、Ｂは間仕切パネル、Ｃは机、１はフィン、２は取付手段を示している。
【００１０】
本発明に係る衝立フィン装置Ａは、フィン１の下部に前記間仕切パネルＢの上部及び机Ｃの天板３への直接的又は間接的に取付ける取付手段２を備えるとともに、少なくともフィン１の上部が円弧状に傾斜した形状を有するものである。
【００１１】
更に詳しくは、本実施形態では、前記フィン１は、下部を直線状の平面部４とし、該平面部４から円弧状に傾斜した円弧部５を連続的に形成した形状を有するものであり、幕板６を枠体７に装着して構成している。尚、前記フィン１は、下端部から上端部にかけて連続的に湾曲した形状とすることも可能である。
【００１２】
前記幕板６は、透明又は半透明の材料で形成してあり、素材としては透明又は半透明の合成樹脂板又はガラス板、あるいは図示したように不透明の金属板又は合成樹脂板に多数の孔を形成したパンチング板を用いることができる。また、前記枠体７は、合成樹脂製又は金属製のものを適宜用いることが可能である。また、前記幕板６がそれ自体で保形性を有していれば、前記枠体７を省略して前記幕板６のみで前記フィン１を構成することも可能であり、また前記幕板６が保形性に乏しければ、周囲の肉厚を増して前記枠体７と同等の作用を持たせて前記フィン１を構成することも可能である。
【００１３】
前記取付手段２は、本実施形態では、前記フィン１の下側枠体７に設け、間仕切パネルＢの上端に直接、又は間仕切パネルＢの上縁の横枠８に着脱可能に取付ける取付部９を備え、該取付部９とフィン１の下側枠体７への固定部１０との間に、少なくとも取付部９に対して固定部１０の傾斜角度を変更し、その状態を維持できるジョイント１１を介在させている。
【００１４】
また、前記ジョイント１１は、単に傾斜角度を変更するだけであれば、回動に対して摩擦抵抗を有する蝶番構造を採用することができ、また回動軸をボルトと蝶ナットで構成して角度調節後に蝶ナットを締付けてその角度を保持するようにしても良い。この場合、図示しないが、前記フィン１の下側枠体７の両端部寄りに一対の取付手段２，２を設けることができる。
【００１５】
更に、本実施形態では、間仕切パネルＢに対してフィン１の向きを前後反転させることができるように、即ち取付部９に対して固定部１０の回転角度を変更し、その状態を維持できるようなジョイント１１を採用している。ここで、前記ジョイント１１は、単に回転角度を変更するだけであれば、垂直な回転軸とその軸受部とを有する回動蝶番構造を採用することができる。この場合は、前記前記フィン１の下側枠体７の中央部に一つの取付手段２を設けるのである。
【００１６】
そして、前記取付部９に対して固定部１０の傾斜角度と回転角度とを共に変更できるようなジョイント１１としては、ボールジョイントで代表されるようなユニバーサルジョイントを採用することができ、本実施形態ではその例を示している。従って、前記フィン１は、図１及び図２に示すように、前記取付部９を間仕切パネルＢの上部に取付けた状態で、前後の傾斜角度を調節することができるとともに、１８０度回転させて前後逆向きにすることができる。
【００１７】
ここで、前記取付部９の構造は、本発明では特に限定されるものではなく、例えば前記間仕切パネルＢの横枠８を前後から包持できる断面コ字形を有し、一方の包持片に固定ネジを螺合し、横枠８に上方から取付部９を嵌合させた状態で固定ネジを締付けて取付ける構造を採用することができる。また、前記取付部９を前記間仕切パネルＢの上端に単に嵌合するだけでも良い。
【００１８】
また、前記間仕切パネルＢとして、本実施形態では前記フィン１の幕板６と同一素材を幕材として用いた衝立パネルを例示している。また、前記衝立フィン装置Ａは、間仕切パネルＢの上端のみならず、図３に示すように、間仕切パネルＢの上部側部の縦枠１２に装着することも可能である。
【００１９】
このように、間仕切パネルＢの上端に本発明の衝立フィン装置Ａを設けることにより、前記フィン１によってオープンオフィス内における目線を遮り、また見た目に変化を与え、更に空気の流れを調整することができるので、パーソナルな空調を実現できるのである。
【００２０】
次に、本発明に係る衝立フィン装置Ａを机Ｃに装着した実施形態を図4〜図６に基づき説明する。図４は、机Ｃの天板３の後端の両側に前述の衝立フィン装置Ａ，Ａを装着した実施形態であり、左右のフィン１，１の向きを前後逆向きに設定してある。この場合、図示した机Ｃの背後に別の机を背面合わせで設置し、それぞれ左側のフィン１の円弧部５を手前に向けて配置し、その前方に着座するようにしたものである。こうすることによって、着座者の目線をフィン１によって遮ることが可能となり、またフィン１の前面側にパソコン等のモニターを設置すれば、モニター画面に天井の照明が直接入射しないようにして、画面を見やすくすることも可能である。本実施形態におけるフィン１の基本的な構造は、前記同様であるので、同一構成には同一符号を付してその説明は省略する。
【００２１】
また、図５は、二つの机Ｃ，Ｃを背面合わせで設置し、両天板３，３の接合部に沿って、器具類の装着部材１３を取付け、該装着部材１３に前記同様に衝立フィン装置Ａ，Ａを装着した実施形態である。前記装着部材１３は、机上棚を構成したり、図示しないペントレーや電話台、照明器具を装着するために使用されている公知のものを用いることが可能である。
【００２２】
そして、図６に示した実施形態は、図５において、天板３の横幅の略全幅に亘って一体物の衝立フィン装置Ａを装着したものであり、この場合は前記フィン１の下端両側部を前記同様の取付手段２，２で装着部材１３に取付けている。勿論、前記天板３の後端に直接衝立フィン装置Ａを装着しても良く、また図示しないが二つの衝立フィン装置Ａ，Ａを背面合わせで天板３，３の接合部に沿って装着することも可能である。この実施形態の場合には、前記フィン１は前後に傾斜角度を調節するだけであるが、前記同様にフィン１の下端中央部のみを取付手段２にて装着することも可能である。
【００２３】
【発明の効果】
以上にしてなる請求項１に係る発明の衝立フィン装置は、間仕切パネルの上部又は机天板に取付ける衝立フィン装置であって、フィンの下部中央部に前記間仕切パネルの上部及び机天板への直接的又は間接的に取付ける取付手段を備えるとともに、少なくともフィンの上部が円弧状に傾斜した形状を有し、前記取付手段は、間仕切パネルの上部又は机天板に取付ける取付部を備え、該取付部とフィンへの固定部との間に、少なくとも取付部に対して固定部の傾斜角度を変更し、その状態を維持できるジョイントを介在させたものであり、前記間仕切パネル及び机天板に対してフィン全体の傾斜角度を調節できる構造であるので、オープンオフィス内の目線を調整し且つ視覚的な変化を与えることができるとともに、空気の流れを調整してパーソナルな空調が実現でき、更に間仕切パネル及び机天板に対してフィン全体の傾斜角度を調節して、目線を遮る範囲や空調の流れを変えることができる。
【００２５】
請求項２によれば、間仕切パネル及び机天板に対してフィン全体の回転角度を調節して、目線を遮る範囲や空調の流れを変えることができる。
【００２６】
請求項３によれば、フィンの幕面が透明又は半透明の材料で形成すれば、オープンオフィスの特徴である開放感を損なわない程度の目隠し機能を持たせることができる。
【図面の簡単な説明】
【図１】本発明の第１実施形態を示し、間仕切パネルの上端に衝立フィン装置を設けた状態の斜視図である。
【図２】同じくフィンの傾斜角度を変化させる様子を示す簡略側面図である。
【図３】間仕切パネルの上部側部に衝立フィン装置を設けた状態の斜視図である。
【図４】本発明の第１実施形態を示し、机天板の後端の左右に衝立フィン装置を設けた状態の斜視図である。
【図５】同じく前後に配した机の天板接合部に設けた装着部材を介して左右に衝立フィン装置を設けた状態の斜視図である。
【図６】同じく前後に配した机の天板接合部に設けた装着部材を介して一枚物の衝立フィン装置を設けた状態の斜視図である。
【符号の説明】
Ａ  衝立フィン装置
Ｂ  間仕切パネル
Ｃ  机
１  フィン
２  取付手段
３  天板
４  平面部
５  円弧部
６  幕板
７  枠体
８  横枠
９  取付部
１０  固定部
１１  ジョイント
１２  縦枠
１３  装着部材
【図１】
0003911994.tif 000002
【図２】
0003911994.tif 000003
【図３】
0003911994.tif 000004
【図４】
0003911994.tif 000005
【図５】
0003911994.tif 000006
【図６】
0003911994.tif 000007